(57)【要約】      （修正有）【課題】ユーザが煩わしい操作をしなくても記録媒体に記録した楽曲データの内容を容易に把握することができる。【解決手段】記録再生装置１のメインＣＰＵ２は、楽曲データをフラッシュメモリ部６に記録させるに際し、ＣＤ−ＤＡ３０に記憶されている楽曲データに関連するテキスト情報である楽曲関連テキストデータに基づいて当該楽曲データの記録先情報を生成し、フラッシュメモリ部６を制御して楽曲データを記録させる。【選択図】図１
2007257709.tif 000002
【特許請求の範囲】
【請求項１】
外部記憶媒体から入力された楽曲データを記録する記録装置において、
前記楽曲データを記録媒体に記録する記録部と、
前記記録部を制御し、前記楽曲データを前記記録媒体に記録させるに際し、前記外部記憶媒体に記憶されている前記楽曲データに関連するテキスト情報である楽曲関連テキストデータに基づいて当該楽曲データの記録先情報を生成する制御部と、
を備えたことを特徴とする記録装置。
【請求項２】
請求項１記載の記録装置において、
通信ネットワークを介して外部の楽曲情報データベースにアクセス可能な通信部を備え、
前記外部記録媒体に前記楽曲関連テキストデータが存在しない場合に、前記楽曲関連テキストデータに代えて、前記楽曲情報データベースから第２の楽曲関連テキストデータを抽出し、当該第２の楽曲関連テキストデータに基づいて楽曲データの記録先情報を生成する、
ことを特徴とする記録装置。
【請求項３】
請求項１または請求項２記載の記録装置において、
前記楽曲関連テキストデータは、アルバム名、アーティスト名あるいは楽曲名の少なくともいずれかを含むことを特徴とする記録装置。
【請求項４】
請求項１ないし請求項３のいずれかに記載の記録装置において、
前記記録先情報は、フォルダ名あるいはトラック名の少なくともいずれかを含むことを特徴とする記録装置。
【請求項５】
請求項１ないし請求項４のいずれかに記載の記録装置において、
前記外部記憶媒体は、光ディスクあるいは光磁気ディスクであることを特徴とする記録装置。
【請求項６】
請求項１ないし請求項４のいずれかに記載の記録装置において、
前記記録媒体は、半導体メモリ装置あるいは磁気ディスク装置であることを特徴とする記録装置。
【請求項７】
外部記憶媒体から入力された楽曲データを記録する記録装置の制御方法において、
前記外部記憶媒体から前記楽曲データに関連するテキスト情報である楽曲関連テキストデータを読み出す関連テキスト読出過程と、
前記楽曲データを前記記録媒体に記録させるに際し、前記楽曲関連テキストデータに基づいて当該楽曲データの記録先情報を生成する記録先情報生成過程と、
前記記録先情報に基づいて前記楽曲データを記録媒体に記録する記録過程と、
を備えたことを特徴とする記録装置の制御方法。
【請求項８】
外部記憶媒体から入力された楽曲データを記録する記録装置をコンピュータにより制御するための制御プログラムにおいて、
前記外部記憶媒体から前記楽曲データに関連するテキスト情報である楽曲関連テキストデータを読み出させ、
前記楽曲データを前記記録媒体に記録させるに際し、前記楽曲関連テキストデータに基づいて当該楽曲データの記録先情報を生成させ、
前記記録先情報に基づいて前記楽曲データを記録媒体に記録させる、
ことを特徴とする制御プログラム。
【発明の詳細な説明】
【技術分野】
【０００１】
本発明は、データの記録を行う記録装置、記録装置の制御方法および制御プログラムに関する。
【背景技術】
【０００２】
従来、音楽ＣＤ（コンパクトディスク）などの外部記憶媒体から供給される楽曲データを再生させる際に、外部記憶媒体に含まれる楽曲データを半導体メモリあるいはハードディスク等の記録媒体に記録、すなわち、録音させることのできる記録再生装置が知られている（例えば、特許文献１参照）。
この場合において、記録媒体への記録は、外部記憶媒体における楽曲データのデータフォーマットと同一フォーマットあるいは別フォーマット（圧縮フォーマットなど）で行われる。
上記記録再生装置においては、楽曲データを記録媒体に記録するに際し、同一の記録媒体から記録した楽曲データについては、楽曲の内容にかかわらず、所定のフォルダ名（たとえば、「FOLDER0001」、「FOLDER0002」、…など）を用いて記録を行うようにされていた。
【特許文献１】特開２００３−２２８９０７号公報
【発明の開示】
【発明が解決しようとする課題】
【０００３】
ところで、ユーザが楽曲データを再生するに際し、記録内容を表示する際には、上述した所定のフォルダ名が表示されることとなる。
このため、ユーザはその内容をフォルダ名では把握することはできない。このため、内容を簡易に把握するために、フォルダ名のつけ直し（いわゆる、リネーム）を行わなければならず、手間が煩雑であるという問題点があった。
そこで、本発明の目的は、ユーザが煩わしい操作をしなくても記録媒体に記録した楽曲データの内容を容易に把握することができる記録装置、制御方法および制御プログラムを提供することにある。
【課題を解決するための手段】
【０００４】
上記課題を解決するため、外部記憶媒体から入力された楽曲データを記録する記録装置において、前記楽曲データを記録媒体に記録する記録部と、前記記録部を制御し、前記楽曲データを前記記録媒体に記録させるに際し、前記外部記憶媒体に記憶されている前記楽曲データに関連するテキスト情報である楽曲関連テキストデータに基づいて当該楽曲データの記録先情報を生成する制御部と、を備えたことを特徴としている。
上記構成によれば、制御部は、楽曲データを記録媒体に記録させるに際し、外部記憶媒体に記憶されている楽曲データに関連するテキスト情報である楽曲関連テキストデータに基づいて当該楽曲データの記録先情報を生成する。
これにより記録部は、制御部の制御下で、記録先情報に基づいて記録媒体に楽曲データを記録する。
【０００５】
この場合において、通信ネットワークを介して外部の楽曲情報データベースにアクセス可能な通信部を備え、前記外部記録媒体に前記楽曲関連テキストデータが存在しない場合に、前記楽曲関連テキストデータに代えて、前記楽曲情報データベースから第２の楽曲関連テキストデータを抽出し、当該第２の楽曲関連テキストデータに基づいて楽曲データの記録先情報を生成する、ようにしてもよい。
また、前記楽曲関連テキストデータは、アルバム名、アーティスト名あるいは楽曲名の少なくともいずれかを含むようにしてもよい。
さらに、前記記録先情報は、フォルダ名あるいはトラック名の少なくともいずれかを含むようにしてもよい。
さらにまた、前記外部記憶媒体は、光ディスクあるいは光磁気ディスクであるようにしてもよい。
また、前記記録媒体は、半導体メモリ装置あるいは磁気ディスク装置であるようにしてもよい。
【０００６】
また、外部記憶媒体から入力された楽曲データを記録する記録装置の制御方法において、前記外部記憶媒体から前記楽曲データに関連するテキスト情報である楽曲関連テキストデータを読み出す関連テキスト読出過程と、前記楽曲データを前記記録媒体に記録させるに際し、前記楽曲関連テキストデータに基づいて当該楽曲データの記録先情報を生成する記録先情報生成過程と、前記記録先情報に基づいて前記楽曲データを記録媒体に記録する記録過程と、を備えたことを特徴としている。
【０００７】
また、外部記憶媒体から入力された楽曲データを記録する記録装置をコンピュータにより制御するための制御プログラムにおいて、前記外部記憶媒体から前記楽曲データに関連するテキスト情報である楽曲関連テキストデータを読み出させ、前記楽曲データを前記記録媒体に記録させるに際し、前記楽曲関連テキストデータに基づいて当該楽曲データの記録先情報を生成させ、前記記録先情報に基づいて前記楽曲データを記録媒体に記録させる、ことを特徴としている。
【発明の効果】
【０００８】
本発明によれば、自動的に適切な記録先情報（例えば、フォルダ名あるいはトラック名）が生成され、付与されるため、ユーザが煩わしい操作をしなくても記録媒体に記録した楽曲データの内容を容易に把握することができ、使い勝手が向上する。
【発明を実施するための最良の形態】
【０００９】
以下、図面を参照しつつ本発明の実施の形態について説明する。
［１］第１実施形態
図１は、本発明の実施の形態に係る記録再生装置１の構成を示すブロック図である。この図１に示す記録再生装置１は、カーナビゲーション装置とカーオーディオ装置とを複合させた複合装置に適用したもので、本体部１ａとユーザインタフェース部１ｂとを備えている。
図１に示すように、本体部１ａは、メインＣＰＵ２と、メモリ部３と、インタフェース部４と、外部記憶媒体読取部５と、フラッシュメモリ部６と、エンコーダデコーダ部７と、オーディオ再生部８と、アンプ９と、スピーカ１０と、通信部１１と、表示制御部１２とを備えている。
メインＣＰＵ２（Central Processing Unit）は、当該記録再生装置１の各部の動作制御や、各種演算を実行する。
【００１０】
メモリ部３は、メインＣＰＵ２により実行される楽曲データ自動削除処理等、各種処理を実行するための制御プログラム等を格納するものであり、ＳＲＡＭ（Static ＲＡＭ）、ＳＤＲＡＭ（Synchronous ＤＲＡＭ）、Ｆｌａｓｈ  ＲＯＭなどから構成される。メモリ部３には、楽曲データ自動削除処理を行うか否かが設定されるフラグＲＥＣＳＫＩＰが格納されている。このフラグＲＥＣＳＫＩＰが「１」に設定されていれば、楽曲データ自動削除処理が実行される。
インタフェース部４は、記録再生装置１が備える各構成要素（デバイス）間のインタフェースとして機能する回路であり、このインタフェース部４には、メインＣＰＵ２、メモリ部３が接続されるほか、次に説明する外部記憶媒体読取部５、フラッシュメモリ部６、エンコーダデコーダ部７、オーディオ再生部８、表示制御部１２が接続されている。
【００１１】
外部記憶媒体読取部５は、ＣＤ−ＲＯＭドライブやＤＶＤ−ＲＯＭドライブ等であり、音楽ＣＤ等の外部記憶媒体が装着可能に構成されている。外部記憶媒体読取部５は、装着された外部記憶媒体に記憶された楽曲データを読み取って、読み取った楽曲データをエンコーダデコーダ部７を介してオーディオ再生部８に出力するものである。
フラッシュメモリ部６は、楽曲データ、フォルダ名データ（ディスク名データ）、トラック名データ（楽曲名データ）等が記憶される。
エンコーダデコーダ部７は、符号器、復号器を備え、外部記憶媒体読取部５等から入力される楽曲データ信号に対して必要に応じて圧縮処理を行いインタフェース部４を介してフラッシュメモリ部６に出力し、フラッシュメモリ部６等からインタフェース部４を介して入力された楽曲データ信号に対して必要に応じ伸張処理を行い、オーディオ再生部８に出力するものである。
【００１２】
オーディオ再生部８は、外部記憶媒体読取部５またはフラッシュメモリ部６からエンコーダデコーダ部７を介して入力される楽曲データ信号に対して所定の信号処理を行うものである。また、図示しないラジオ受信部、ＴＶチューナー部、ＭＤ（Mini Disk）再生部などから入力される音声信号に対して所定の信号処理を行う。オーディオ再生部８において信号処理が施された楽曲データ信号はアンプ９で増幅されスピーカ１０を介して外部に音波として出力される。
通信部１１は、図示しない通信ネットワーク（インターネット、無線ＬＡＮなど）を介して外部のデータベースサーバなどにアクセス可能とされており、必要に応じてＣＤＤＢ（CD DataBase）を参照することができるようにされている。
表示制御部１２は、メインＣＰＵ２から出力される画像データ（例えば、操作メニュー表示のための画像データ、経路案内のための画像データ等）をＲＧＢ信号に変換して、ユーザインタフェース部１ｂが備えるＶＩＤＥＯ信号処理回路２３に出力するものである。
【００１３】
ユーザインタフェース部１ｂは、入力部２１と、リモコン受光部２２と、ＶＩＤＥＯ信号処理回路２３と、表示器２４とを備えている。
入力部２１は、ユーザからの各種操作指示を受け付けるもので、タッチパネルあるいは操作子を備える。また、リモコン受光部２２は、図示せぬリモートコントロール装置からの指示信号を受光するものである。これら入力部２１およびリモコン受光部２２から、再生指示、再生スキップ指示等のユーザの操作指示が入力され、インタフェース部４に出力される。入力部２１およびリモコン受光部２２を介してユーザは各種操作を行えるが、音楽ＣＤ等の再生中に行われる代表的な操作として、停止、早送り、早戻し等の操作があり、これらの操作指示を行うための操作キー等の操作子（図示略）を備える。
【００１４】
ユーザにより早送りキーが選択操作されると、メインＣＰＵ２に対して再生スキップ指示が入力され、現在再生されている楽曲データの再生が中断され、次の楽曲データの再生が行われる。一方、早戻しキーが選択操作されると、現在再生されている楽曲データの再生が最初から再度行われる。
ＶＩＤＥＯ信号処理回路２３は、表示制御部１２からＲＧＢ信号を受け取り、表示器２４が表示すべき映像信号に変換して、表示器２４に出力するものである。
表示器２４は、地図や、ユーザに操作を促すための操作画面などを表示するものであり、例えば、液晶パネル等から構成できる。
【００１５】
図2は、記録再生装置の機能ブロック図である。
記録再生装置1は、機能的には、大別すると、外部記憶媒体であるＣＤ−ＤＡからＣＤフォーマットあるいはＭＰ３フォーマットなどの楽曲データの再生制御を行う再生制御機能部１Ａと、楽曲データのフラッシュメモリ部６への記録あるいはフラッシュメモリ部６からの再生制御を行うなどの楽曲取得再生機能部１Ｂと、楽曲データのフォルダ名などの各種情報の表示器２４への表示制御を行う表示制御機能部１Ｃと、を備えて構成されている。
【００１６】
図３は、第１実施形態の処理フローチャートである。
以下の説明においては、ＣＤ−ＤＡ（Compact Disc-Digital Audio）の録音時の処理について説明する。
まず、インタフェース部４は、外部記憶媒体であるＣＤ−ＤＡ３０の再生指示があると、ＣＤ−ＤＡ３０から供給される複数の楽曲データが外部記憶媒体読取部５において読み取られてオーディオ再生部８により所定の順序で楽曲データの再生が行われる。これと同時に、ＣＤ−ＤＡ３０から供給される楽曲データがメインＣＰＵ２の制御の下、フラッシュメモリ部６に録音（記憶）される。
この場合において、ＣＤ−ＤＡ３０から供給される楽曲データを外部記憶媒体読取部５において２倍速又は４倍速等の通常の再生速度よりも速い速度で読み出してフラッシュメモリ部６に録音（記憶）させながら、フラッシュメモリ部６に録音（記憶）された楽曲データを読み出してオーディオ再生部８において通常の再生速度で再生するようにしてもよい。また、外部記憶媒体読取部５においてＣＤ−ＤＡ３０から楽曲データを通常の速度で読み出してオーディオ再生部８で再生させるとともに、フラッシュメモリ部６に通常の速度で録音（記憶）させてもよい。さらに、それらをユーザが適宜設定することができるようにしてもよい。
【００１７】
これと並行して、メインＣＰＵ２は、録音が完了したか否かを判別する（ステップＳ１）。
ステップＳ１の判別において、いまだ録音が完了していない場合には（ステップＳ１；Ｎｏ）、待機状態となる。
ステップＳ１の判別において、録音が完了した場合には（ステップＳ１；Ｙｅｓ）、
再生制御機能部１Ａは、ＣＤ−ＤＡ３０にＣＤ−ＴＥＸＴフォーマットに準拠したテキスト情報が含まれているか否かを判別する（ステップＳ２）。
ステップＳ２の判別において、ＣＤ−ＤＡ３０にＣＤ−ＴＥＸＴフォーマットに準拠したテキスト情報（ＣＤ−ＴＥＸＴ）が含まれている場合には（ステップＳ２；Ｙｅｓ）、再生制御機能部１Ａは、テキスト情報に含まれるディスクタイトル（DISC TITLE）を取得し、再生／制御機能部１Ｂにフォルダ名として通知する（ステップＳ３）。
さらに再生制御機能部１Ａは、テキスト情報に含まれるトラックタイトル（TRACK TITLE）を取得し、再生／制御機能部１Ｂにファイル名として通知する（ステップＳ４）。
【００１８】
次に再生／制御機能部１Ｂは、通知されたフォルダ名およびファイル名をそれぞれフォルダ名データおよびファイル名データとして録音データに対応付けて、フラッシュメモリ部６に登録する（ステップＳ５）。
これにより、再生／制御機能部１Ｂは、フォルダ名およびファイル名を表示部に送信し、表示させることとなる（ステップＳ８）。
ステップＳ２の判別において、ＣＤ−ＤＡ３０にＣＤ−ＴＥＸＴフォーマットに準拠したテキスト情報（ＣＤ−ＴＥＸＴ）が含まれていない場合には（ステップＳ２；Ｎｏ）、再生制御機能部１Ａは、デフォルト名登録を再生／制御機能部１Ｂに通知する（ステップＳ４）。
これにより再生／制御機能部１Ｂは、デフォルト名であるフォルダ名およびファイル名、例えば、「FOLDER0001」、「TRACK01」、「TRACK02」、…を録音データに対応付けて、フラッシュメモリ部６に登録する（ステップＳ７）。
【００１９】
これにより、再生／制御機能部１Ｂは、フォルダ名およびファイル名を表示部に送信し、表示させることとなる（ステップＳ８）。
以上の説明のように、本実施形態によれば、外部記憶媒体であるＣＤ−ＤＡ３０にＣＤ−ＴＥＸＴフォーマットに準拠したテキスト情報（ＣＤ−ＴＥＸＴ）が含まれている場合には、当該テキスト情報に基づいてフォルダ名およびファイル名を付与することから、ユーザのリネームの手間を省くことができるとともに、ユーザが所望の楽曲データを見いだすことが容易となる。
【００２０】
［２］第２実施形態
以上の第１実施形態は、ＣＤ−ＤＡにテキスト情報（ＣＤ−ＴＥＸＴ）が含まれているか否かに基づいて処理を行っていたが、本第２実施形態はさらにネットワーク上のデータベースサーバに格納されているＣＤＤＢ（ＣＤ  Database）も参照して、より確実に最適なフォルダ名およびトラック名を用いる場合の実施形態である。
装置構成については、第１実施形態と同様であるので、詳細な説明を援用する。
この場合において、ＣＤＤＢは、ＣＤ−ＤＡに収録された楽曲に関する情報を、ユーザのCD再生ソフトや周辺機器へ提供するためのデータベースであり、ＣＤ−ＤＡをセットすると、メインＣＰＵ２が自動的にＣＤＤＢにアクセスしてセットしたＣＤ−ＤＡの情報を検索・ダウンロードし、アルバム名、曲名、アーティスト名などといった情報を参照しながらＣＤ−ＤＡを再生することができるようにされている。
【００２１】
図４は、第２実施形態の処理フローチャートである。
まず、インタフェース部４は、外部記憶媒体であるＣＤ−ＤＡ３０の再生指示があると、ＣＤ−ＤＡ３０から供給される複数の楽曲データが外部記憶媒体読取部５において読み取られてオーディオ再生部８により所定の順序で楽曲データの再生が行われる。これと同時に、ＣＤ−ＤＡ３０から供給される楽曲データがメインＣＰＵ２の制御の下、フラッシュメモリ部６に録音（記憶）される。
【００２２】
これと並行して、メインＣＰＵ２は、録音が完了したか否かを判別する（ステップＳ１１）。
ステップＳ１１の判別において、いまだ録音が完了していない場合には（ステップＳ１１；Ｎｏ）、待機状態となる。
ステップＳ１１の判別において、録音が完了した場合には（ステップＳ１１；Ｙｅｓ）、
再生制御機能部１Ａは、ＣＤ−ＤＡ３０にＣＤ−ＴＥＸＴフォーマットに準拠したテキスト情報が含まれているか否かを判別する（ステップＳ１２）。
ステップＳ１２の判別において、ＣＤ−ＤＡ３０にＣＤ−ＴＥＸＴフォーマットに準拠したテキスト情報（ＣＤ−ＴＥＸＴ）が含まれている場合には（ステップＳ２；Ｙｅｓ）、再生制御機能部１Ａは、テキスト情報に含まれるディスクタイトル（DISC TITLE）を取得し、再生／制御機能部１Ｂにフォルダ名として通知する（ステップＳ１３）。
さらに再生制御機能部１Ａは、テキスト情報に含まれるトラックタイトル（TRACK TITLE）を取得し、再生／制御機能部１Ｂにファイル名として通知する（ステップＳ１４）。
【００２３】
次に再生／制御機能部１Ｂは、通知されたフォルダ名およびファイル名をそれぞれフォルダ名データおよびファイル名データとして録音データに対応付けて、フラッシュメモリ部６に登録する（ステップＳ１５）。
これにより、再生／制御機能部１Ｂは、フォルダ名およびファイル名を表示部に送信し、表示させることとなる（ステップＳ２２）。
ステップＳ１２の判別において、ＣＤ−ＤＡ３０にＣＤ−ＴＥＸＴフォーマットに準拠したテキスト情報（ＣＤ−ＴＥＸＴ）が含まれていない場合には（ステップＳ１２；Ｎｏ）、再生制御機能部１Ａは、通信部１１を介して外部のデータベースサーバにアクセスし、当該ＣＤ−ＤＡに対応するテキスト情報がＣＤＤＢ３１上に存在するか否かを判別する（ステップＳ１６）
【００２４】
ステップＳ１６の判別において、ＣＤＤＢ３１に当該ＣＤ−ＤＡに対応するテキスト情報（アルバム名データ、曲名データ、アーティストデータなど）が含まれている場合には（ステップＳ１６；Ｙｅｓ）、再生制御機能部１Ａは、テキスト情報に含まれるアルバム名データを取得し、再生／制御機能部１Ｂにアルバム名をフォルダ名として通知する（ステップＳ１７）。
さらに再生制御機能部１Ａは、テキスト情報に含まれる曲名データを取得し、再生／制御機能部１Ｂに曲名をトラック名（ファイル名）として通知する（ステップＳ１８）。
【００２５】
次に再生／制御機能部１Ｂは、通知されたアルバム名フォルダ名およびファイル名をそれぞれフォルダ名データおよびファイル名データとして録音データに対応付けて、フラッシュメモリ部６に登録する（ステップＳ１５）。
これにより、再生／制御機能部１Ｂは、フォルダ名およびトラック名（ファイル名）を表示部に送信し、表示させることとなる（ステップＳ２２）。
ステップＳ１６の判別において、ＣＤＤＢ３１にテキスト情報が含まれていない場合には（ステップＳ２；Ｎｏ）、再生制御機能部１Ａは、デフォルト名登録を再生／制御機能部１Ｂに通知する（ステップＳ２０）。
これにより再生／制御機能部１Ｂは、デフォルト名であるフォルダ名およびファイル名、例えば、「FOLDER0001」、「TRACK01」、「TRACK02」、…を録音データに対応付けて、フラッシュメモリ部６に登録する（ステップＳ２１）。
【００２６】
これにより、再生／制御機能部１Ｂは、フォルダ名およびファイル名を表示部に送信し、表示させることとなる（ステップＳ８）。
以上の説明のように、本第２実施形態によれば、外部記憶媒体であるＣＤ−ＤＡ３０にＣＤ−ＴＥＸＴフォーマットに準拠したテキスト情報（ＣＤ−ＴＥＸＴ）が含まれている場合には、外部のデータベースサーバに格納されたＣＤＤＢ３１よりも優先して、当該テキスト情報（ＣＤ−ＴＥＸＴ）に基づいてフォルダ名およびファイル名を付与することから、ユーザのリネームの手間を省くことができるとともに、より正確な情報を登録することが可能となる。
【００２７】
以上の説明においては、外部記憶媒体としてＣＤ−ＤＡ３０を用い、ＣＤ−ＴＥＸＴフォーマットに準拠したテキスト情報を用いる場合について説明したが、ＤＶＤオーディオディスクであっても、集中記録型の静的テキスト情報に含まれるアルバム名、各トラック（曲）名に基づいて同様に制御することも可能である。
同様にＭＤであってもテキスト情報を含むものであれば同様に適用が可能である。
また、楽曲データを記録する記録媒体として、フラッシュメモリ部６を例に挙げて説明したが、ハードディスクや、半導体メモリを用いたメモリカード等についてもリーダライタ機能を持たせれば、適用が可能である。
また、外部のデータベースサーバ上の楽曲情報データベースとしてＣＤＤＢを用いる場合について説明したが、これに限らず、アルバム名、曲名など必要な楽曲関連テキストデータを参照可能なデータベースであれば同様に適用が可能である。
【図面の簡単な説明】
【００２８】
【図１】実施の形態における記録再生装置の概要構成ブロック図である。
【図２】記録再生装置の機能ブロック図である。実施の形態における記憶再生装置の表示器に表示される操作画面の一例を示す図である。
【図３】第１実施形態の処理フローチャートである。
【図４】第２実施形態の処理フローチャートである。
【符号の説明】
【００２９】
１  記録再生装置
１Ａ  再生制御機能部
１Ｂ  楽曲取得再生機能部（記録部）
１Ｃ  表示制御機能部
２  メインＣＰＵ（制御部）
３  メモリ部
４  インタフェース部
５  外部記憶媒体読取部
６  フラッシュメモリ部６（記録部）
７  エンコーダデコーダ部
８  オーディオ再生部
【図１】
2007257709.tif 000003
【図２】
2007257709.tif 000004
【図３】
2007257709.tif 000005
【図４】
2007257709.tif 000006